(57)【要約】【課題】リテーナの本係止位置への不用意な移動を規制し、かつパイプの半挿入検知を確実に行うこと。【解決手段】検知爪３７の規制面３９と検知孔２８の受け面３１とが当接し合うことでリテーナ３５が仮係止位置に保持されると共に本係止位置への不用意な回動が規制される。挿入孔１４内にパイプ８を正規深さまで挿入すると、バルジ部９が検知爪３７を押し開くため規制面３９と受け面３１との係止状態が解除されリテーナ３５を仮係止位置から本係止位置へと回動可能となる。しかし、パイプ８が半挿入状態の場合、バルジ部９による検知爪３７の押し開き動作がなされていないためリテーナ３５を本係止位置へと回動させることが出来ない。よって、パイプ８を正規深さ位置まで挿入した時点で初めてリテーナ３５を仮係止位置から本係止位置へと回動させるようにしたため、パイプ８の半挿入検知が確実となる。【選択図】　図１
2004125130.tif 000002
【特許請求の範囲】
【請求項１】
外周面の先端寄りの位置に抜け止め用のバルジ部が形成されたパイプを挿入して接続するコネクタであって、前記パイプが挿入される挿入孔が軸方向に沿って形成されたコネクタ本体と、このコネクタ本体に対して同コネクタ本体の軸方向に沿って設けられた回動軸を中心として前記コネクタ本体に接近あるいは離間する方向に回動可能に取り付けられ、前記パイプが前記挿入孔に対して正規深さまで挿入された位置で前記バルジ部に係止して前記パイプを抜け止め状態に保持可能なリテーナとからなるコネクタにおいて、
前記リテーナは、前記リテーナの回動範囲内に、前記パイプの挿入、抜けを許容する仮係止位置と前記バルジ部と係止して前記パイプの抜けを規制可能な本係止位置とが設定され、且つ、前記リテーナには外方へ撓み可能な検知爪が形成され、
一方、前記コネクタ本体の側面には、前記挿入孔に連通するように開口し前記リテーナが前記仮係止位置にある状態で前記検知爪と係止可能な検知孔が設けられ、
前記リテーナが前記仮係止位置にあるときには、前記検知爪は前記検知孔から前記挿入孔内に突出することで前記バルジ部の挿入経路上に進入し、前記パイプが前記挿入孔内に正規深さで挿入される際には、前記検知爪が前記バルジ部と当接して前記挿入孔内から押し出されるように変位することで前記検知爪と前記検知孔との係止状態が解除され、前記リテーナを前記仮係止位置から前記本係止位置へ回動可能にすることを特徴とするコネクタ。
【請求項２】
前記検知爪と前記検知孔のいずれか一方には規制面が設けられ、他方には受け面が設けられ、この規制面と受け面とは前記リテーナの回動方向に互いに対向して形成されており、前記リテーナが前記仮係止位置にあるときには前記規制面と前記受け面とが互いに当接し合うことで前記リテーナの仮係止位置から本係止位置への回動を規制していることを特徴とする請求項１記載のコネクタ。
【請求項３】
前記検知爪における前記挿入孔内に突出し前記バルジ部の進入経路上に位置する部分には、前記バルジ部が当接した際に前記検知爪を前記挿入孔内から押し出す方向に分力を作用させる勾配を持った押し出し面が設けられていることを特徴とする請求項１または請求項２記載のコネクタ。
【発明の詳細な説明】
【０００１】
【発明の属する技術分野】
本発明は、配管接続用のコネクタに関する。
【０００２】
【従来の技術】
配管接続用のコネクタとして、従来より図１６及び図１７に示すようなものが知られている（例えば、特許文献１参照）。これは、コネクタ本体１に対して、リテーナ２が、ヒンジ軸を介してパイプ５の軸方向に直交する方向に回動可能に取り付けられたものである。このコネクタを使用するには、パイプ５をコネクタ本体１に挿入する前に、まずリテーナ２をコネクタ本体１に対して開放した位置（図に示す状態）に保持しておく。そして、パイプ５をコネクタ本体１の正規位置まで挿入後、リテーナ２をヒンジ軸を中心に図示右回りに回動させ、コネクタ本体１にリテーナ４の係合突起３が係合するとリテーナ２がロック状態に保持されると共に、リテーナ２の係合凹部４によりパイプ５が抜け止めされるようになっている。
【０００３】
【特許文献１】
特開２００２−２３７３４６公報
【０００４】
【発明が解決しようとする課題】
このようなコネクタは、リテーナ２がコネクタ本体１から開放された位置（仮係止位置とする）に取り付けた状態で、パイプ挿入現場に搬送されるようになっている。しかし、上記したコネクタでは、リテーナ２がコネクタ本体１から仮係止位置でロックするロック手段が設けられていないため、パイプ挿入現場に至る前にリテーナ２が正規の位置（本係止位置とする）まで押し込まれてロックされてしまうことがあり得る。すると、パイプ５の挿入時に、再度リテーナ２の本係止位置でのロックを解除し、リテーナ２をコネクタ本体に対して仮係止位置まで戻す作業が必要となり、作業が煩雑になるという問題があった。
【０００５】
そこで、リテーナがコネクタ本体に対して仮係止位置にロックされるようにロック手段を設けることが考えられる。その一例としては、リテーナを回動させるタイプのものではないが、特開２００１−１３２８８３公報のようものが知られている。しかし、このものでは、ロック手段がコネクタ本体の外面に露出しているため、外部からロック手段に強く異物が衝突するなどした場合には、仮係止状態のロックが解除され、その結果、リテーナが本係止位置に移行してしまう虞がある。即ち、このようなロック手段では、パイプの挿入の有無に関わらず仮係止のロック解除が可能となってしまう。
【０００６】
本発明は上記のような事情に基づいて完成されたものであって、パイプが正規挿入されている場合にのみリテーナを正規位置に向けて移動可能とし、もってパイプの半挿入検知を確実なものにすることを目的とする。
【０００７】
【課題を解決するための手段】
上記の目的を達成するための手段として、請求項１の発明は、外周面の先端寄りの位置に抜け止め用のバルジ部が形成されたパイプを挿入して接続するコネクタであって、前記パイプが挿入される挿入孔が軸方向に沿って形成されたコネクタ本体と、このコネクタ本体に対して同コネクタ本体の軸方向に沿って設けられた回動軸を中心として前記コネクタ本体に接近あるいは離間する方向に回動可能に取り付けられ、前記パイプが前記挿入孔に対して正規深さまで挿入された位置で前記バルジ部に係止して前記パイプを抜け止め状態に保持可能なリテーナとからなるコネクタにおいて、前記リテーナは、前記リテーナの回動範囲内に、前記パイプの挿入、抜けを許容する仮係止位置と前記バルジ部と係止して前記パイプの抜けを規制可能な本係止位置とが設定され、且つ、前記リテーナには外方へ撓み可能な検知爪が形成され、一方、前記コネクタ本体の側面には、前記挿入孔に連通するように開口し前記リテーナが前記仮係止位置にある状態で前記検知爪と係止可能な検知孔が設けられ、前記リテーナが前記仮係止位置にあるときには、前記検知爪は前記検知孔から前記挿入孔内に突出することで前記バルジ部の挿入経路上に進入し、前記パイプが前記挿入孔内に正規深さで挿入される際には、前記検知爪が前記バルジ部と当接して前記挿入孔内から押し出されるように撓み変位することで前記検知爪と前記検知孔との係止状態が解除され、前記リテーナを前記仮係止位置から前記本係止位置へ回動可能にする構成としたところに特徴を有する。
【０００８】
請求項２の発明は、請求項１に記載のものにおいて、前記検知爪と前記検知孔のいずれか一方には規制面が設けられ、他方には受け面が設けられ、この規制面と受け面とは前記リテーナの回動方向に互いに対向して形成されており、前記リテーナが前記仮係止位置にあるときには前記規制面と前記受け面とが互いに当接し合うことで前記リテーナの仮係止位置から本係止位置への回動を規制しているところに特徴を有する。
【０００９】
請求項３の発明は、請求項１または請求項２に記載のものにおいて、前記検知爪における前記挿入孔内に突出し前記バルジ部の進入経路上に位置する部分には、前記バルジ部が当接した際に前記検知爪を前記挿入孔内から押し出す方向に分力を作用させる勾配を持った押し出し面が設けられているところに特徴を有する。
【００１０】
【発明の作用及び効果】
＜請求項１の発明＞
リテーナが仮係止位置にある状態では、リテーナの検知爪とコネクタ本体の検知孔とが係止し合っているため、仮係止位置に確実にロックされる。したがって、パイプが未挿入の状態の時に、リテーナが不用意に仮係止位置から本係止位置に移動することを規制可能となる。
【００１１】
また、リテーナを仮係止位置に保持した状態で、コネクタ本体の挿入孔へパイプを挿入すると、バルジ部はまず挿入孔に入り込んでいる検知爪に当接する。さらにパイプを押し入れて正規深さ位置に至らしめると、バルジ部により検知爪が挿入孔から押し出されるように撓み変形して検知爪と検知孔との係止が解除される。そののちに、リテーナを仮係止位置から本係止位置へと回動させれば、リテーナはバルジ部と係止してパイプの抜け止めがなされる。しかし、仮に、パイプが正規深さまで挿入されていないような場合には、前記した検知爪のバルジ部による押し出し動作がなされないため、リテーナを仮係止位置から本係止位置へと回動させることができない。したがって、パイプが正規深さまで挿入されて始めてリテーナの仮係止位置での係止が解除されるため、パイプが半挿入状態のままリテーナが本係止位置まで回動されてしまうことが規制され、これをもって作業者はパイプの半挿入を確実に検知可能となる。
【００１２】
＜請求項２の発明＞
リテーナが仮係止位置にある状態では、規制面と受け面とがリテーナの仮係止位置から本係止位置への回動方向に互いに対向して係止し合っている。つまり、規制面と受け面とが向き合っている方向と、検知爪と検知孔との係止解除方向とが直交する関係にあるため、リテーナに対してリテーナの回動方向に力を加えても検知爪と検知孔との係止が解除され難い。したがって、リテーナの仮係止位置から本係止位置へ向けた回動が確実に規制され、リテーナが不用意に本係止位置に回動されてしまうことを規制可能となる。
【００１３】
＜請求項３の発明＞
リテーナが仮係止位置にある状態でパイプを正規深さまで挿入し、バルジ部が検知爪の押し出し面と当接してパイプに押し込み方向の力が加わると、押し出し面は検知爪を押し出す方向に分力を作用させられるため、検知爪が挿入孔内から円滑に押し出される。したがって、検知爪と検知孔との係止が簡単に解除されると共に、パイプの挿入操作をするだけで自動的に検知爪と検知孔との係止も解除されるため、検知爪と検知孔との係止解除操作が不要となり、作業性に優れる。
【００１４】
【発明の実施の形態】
以下、本発明の実施形態を図１ないし図１５によって説明する。これらの図に示すコネクタは、コネクタ本体１０と、リテーナ３５とからなっている。
まず、コネクタ本体１０から説明すると、コネクタ本体１０は、前半部にチューブ接続部１１、後半部にパイプ収容部１３が形成されている。以下、図２に示す左側を前方、右側を後方とする。
【００１５】
チューブ接続部１１は、中空状に形成され、チューブ（図示せず）内に差し込んでこれと接続可能となっている。チューブ接続部１１の外周面には、チューブの抜け止め用の鍔部１２が複数設けられている。
【００１６】
図１，１１に示すように、パイプ収容部１３には、内部に軸芯に沿って挿入孔１４が形成されている。挿入孔１４の前端側はチューブ接続部の内部と段差面１５を介して連通し、前側よりも拡径された後側の開口からはパイプ８を挿入可能となっている。ここで、パイプ８について簡単に説明すると、このパイプ８は金属製で、先端寄りの位置には、径方向に張り出したバルジ部９が全周に亘って設けられている。挿入孔１４の内周面には、Ｏリング１６が挿入孔１４の内周面に密着して配され、挿入されたパイプ８の外周面と密着することで、パイプ８の外周面と挿入孔１４の内周面との間のシールを行っている。このＯリング１６はＯリング押さえ１７によって挿入孔１４内からの抜け止めがなされている。また、図１３のように、パイプ８が挿入孔１４内に正規深さで挿入されると、バルジ部９の前面がＯリング押さえ１７の後端に突き当たることでパイプ８の前止まりがなされる。
【００１７】
パイプ収容部１３の後部には、前記したリテーナ３５が装着されるようになっている。詳細には、図１１ないし図１５に示すように、パイプ収容部１３の軸方向中央部分及び後端縁には、ほぼ全周に亘り径方向外側へ張り出した前側フランジ１８、後側フランジ２１が形成されており、この間にリテーナ３５が取り付けられるようになっている。
【００１８】
また、パイプ８が正規深さに挿入された状態では、両フランジ１８，２１間にバルジ部９が位置するようになっている。（図１３参照）。図１から図４のようにパイプ収容部１３の外周面のうち、このＯリング押さえ１７の後端から後側フランジ２１の前面までの間には、後述するリテーナ３５を装着した時に抜け止め部４３を挿入孔１４内に突出させるための第１開口部２４と第２開口部２７とが挿入孔１４に連通して設けられている。
【００１９】
第１開口部２４は、Ｏリング押さえ１７の後端から後側フランジ２１の前端面までのほぼ全幅で、周方向の所定角度に亘り開口している。この第１開口部２４の周方向における一端寄りの位置には、第１開口部２４の外方を横切るようにして、リテーナ３５の回動軸２５が形成されている。回動軸２５は、第１開口部２４に架設された部分から、さらに前方へ連続しており、前側フランジ１８に延長して形成されている。この回動軸２５のうち、上記した延長部分は、後述する取り付け初期位置においてリテーナ３５と当接することで、リテーナ３５の回り止めを行うストッパー部２６となっている。
【００２０】
第２開口部２７は、第１開口部２４の他方の端部側に補強部３２を挟んで設けられている。なお、この補強部３２を設ける意義は、両開口部２４，２７を連続形成してしまうと、開口面積が大きくなりすぎてパイプ収容部１３の外周面の強度を不足させてしまうからである。第２開口部２７は、後側フランジ２１の前面寄りの位置に第１開口部２４のほぼ半分の幅で、且つ周方向の所定角度範囲に亘り形成されている。また、この第２開口部２７には、検知孔２８（後述）が連通して設けられている。
【００２１】
次に、前記したリテーナ３５は、パイプ８の抜け止めとパイプ８の半挿入検知の２つの役割を果たすものとなっている。図５及び図６に示すように、リテーナ３５は、前記したパイプ収容部１３の両フランジ１８，２１間に適合する幅でＣ字型に形成され、この両フランジ１８，２１間の外周面に沿って取り付け可能である。
【００２２】
リテーナ３５の周方向の一端側において幅方向後半部には、周方向へ突出した状態でパイプ収容部１３の回動軸２５に取り付け可能な軸受け３６が形成されている。軸受け３６は、拡開可能なＣ字型に形成され、リテーナ３５の内方側に開口した部分から第１開口部２４の架設された部分の回動軸２５に嵌め込み可能となっている。軸受け３６が回動軸２５に嵌め込まれると、リテーナ３５は回動軸２５を中心にコネクタ本体１０の軸方向に直交する方向においてパイプ収容部１３に接近もしくは離間するように回動可能となっている。
【００２３】
また、リテーナ３５の一端側において、軸受け３６に隣接する部分は、段差部４６となっている。リテーナ３５が回動軸２５に取り付けられ、軸中心に後述する仮係止位置からの戻し方向へ回動させた場合、この段差部４６と、前記したストッパー部２６とが当たり合うことで、戻し方向への回動規制がなされており、且つ、この位置（図７に示す位置）がリテーナ３５の取り付け初期位置となっている。
【００２４】
また、このリテーナ３５は、回動範囲内において、パイプ８の挿入を許容する仮係止位置と、この仮係止位置からさらに回動した位置でパイプ８を抜け止めする本係止位置の２つの位置でパイプ収容部１３に対して保持されるようになっている。
【００２５】
ここで、リテーナ３５の仮係止構造について説明する。リテーナ３５とパイプ収容部１３とは、リテーナ３５に設けられた検知爪３７と、パイプ収容部１３に設けられた検知孔２８とが係止し合うことにより保持される。リテーナ３５が仮係止位置に保持されるには、まずリテーナ３５を図７の取り付け初期位置から図示右側へ回動させるのだが、詳しくは図示しないが、この際リテーナ３５が仮係止位置に至る前に、まず検知爪３７が外周面に当接するようになっている。したがって、検知爪３７がパイプ収容部１３の外周面に当接した状態でリテーナ３５を仮係止位置に向けて回動すると、リテーナ３５は、自然状態から径方向外方へ拡径されながら検知爪３７が外周面を摺動して仮係止位置に至り、検知孔２８に検知爪３７が嵌まり込んだ状態で自然状態に戻るようになっている。
【００２６】
さて、検知孔２８は、挿入孔１４の軸を中心として回動軸２５のほぼ反対側に位置しており、上述したように、第２開口部２７と連通して設けられている。また、図３に示すように、検知孔２８は、第２開口部２７の前方の開口縁から、前記したＯリング押さえ１７の後端縁とほぼ同じ位置まで方形状に切り欠かれるようにして、挿入孔１４に連通して形成されている。つまり、検知孔２８は挿入孔１４内に正規深さで挿入されたバルジ部９の外周面と対向する位置に設けられている（図１３参照）。
【００２７】
図７から図１０に示すように、検知孔２８の周方向の両開口縁のうち、本係止位置側の開口縁には、リテーナ３５の回動方向に直交する方向に沿った面となった受け面３１が形成されている。また、この受け面３１の外方には、これと隣接した曲面３０がパイプ収容部１３の外周面になだらかに連続形成されていることで、検知爪３７が検知孔２８から抜け出る際のガイドとなっている。同様に、検知孔２８の周方向の開口縁のうち、もう一方側にはテーパ面２９が設けられ、径方向外方から検知孔２８内へ検知爪３７を誘い込むような勾配にて形成されている。
【００２８】
一方、検知爪３７は、図５のように、リテーナ３５の他端側の端縁から周方向に沿って延出形成されている。且つ、検知爪３７は、リテーナ３５の軸方向における中央部分から後端縁までの幅（リテーナ３５の後半部分に当たる幅）で形成されており、リテーナ３５が仮係止位置に保持された際には、検知爪３７が検知孔２８と第２開口部２７の双方に入り込む寸法となっている（図８参照）。
【００２９】
検知爪３７の先端部分は若干内方へ屈曲し、検知爪３７が検知孔２８及び第２開口部２７に入りこんだ状態では、この先端部分が挿入孔１４内に突出して挿入孔１４内のバルジ部９の進入経路上に位置するように設定してある。この検知爪３７の先端部分には、検知爪３７が検知孔２８に入り込むときの案内、及び検知孔２８から抜け出る時の案内を行うための傾斜面４０，４１が設けられている。
【００３０】
また、傾斜面４０の付け根部分は屈曲しているため、この屈曲部４４が検知孔２８の孔縁と係止することで、リテーナ３５の仮係止位置から取り付け初期位置への戻り止めがなされている。且つ、この状態では次に説明する本係止位置へ向けての回動も規制されている。
【００３１】
詳細には、検知爪３７が検知孔２８に入り込んだ状態において、検知爪３７には、検知孔２８の受け面３１と対向し合う規制面３９が設けられている。したがって、検知爪３７が検知孔２８に嵌まり込むと、規制面３９と受け面３１とがリテーナ３５の回動方向に沿った方向に互いに向き合って面当たり状態で当接し合うこととなり、即ち、検知爪３７が検知孔２８から抜け出るための方向と、規制面３９と受け面３１とが当接し合っている方向とが直交し合っているため、リテーナ３５を本係止位置へ向けて回動させようとしても、規制面３９と受け面３１とが当たり合って検知爪３７と検知孔２８との係止が解除されないようになっている。
【００３２】
次に、この仮係止を解除する構造について説明する。前記したように、検知孔２８は、正規深さまで挿入されたバルジ部９の位置と対応しているため、リテーナ３５が仮係止位置にある状態では、検知爪３７とバルジ部９とが対応可能となっている。
【００３３】
挿入孔１４内に入り込んでいる検知爪３７の後面は、後方から前方へ向けて内向きテーパ状に形成された押し出し面３８となっている。押し出し面３８の勾配は、バルジ部９と当接することで検知爪３７を外方へ押しやる方向に分力を作用させることができるように設定されている。したがって、図９のように、パイプ８が挿入孔１４内の正規深さまで挿入される際、バルジ部９が検知爪３７の押し出し面３８と当接し、さらにパイプ８に押し込み方向への力が加えられると、検知爪３７が検知孔２８から押し出される方向にリテーナ３５が拡開変形し、規制面３９と受け面３１との係止状態が解除される。この時には、検知爪３７は挿入孔１４内から孔外へ押し出され、検知孔２８の孔縁と前記した傾斜面４１とが僅かに引っ掛かる状態となっている。したがって、リテーナ３５を本係止位置へ押しやれば、検知爪３７の上記した僅かな引っ掛かり状態を脱して、検知爪３７をパイプ収容部１３の外周面に至らせ、そのままリテーナ３５を本係止位置へ回動させることができる。また、規制面３９と受け面３１との係止状態が解除されるときには、前記した検知爪３７の傾斜面４１が検知孔２８の曲面３０と摺接し合う関係となり、本係止位置へ向けての回動操作が円滑に行われる。
【００３４】
次に、リテーナ３５の本係止構造を説明する。図１、図１０，図１３に示すように、リテーナ３５の検知爪３７の付け根部分には、径方向外側へ突出し、且つ、リテーナ３５の軸方向両側に張り出した操作部を兼ねた係合部４２が形成されている。
【００３５】
一方、両フランジ１８，２１には、リテーナ３５が仮係止位置にある状態でこの係合部４２と対応する位置に、逃がし部１９，２２が切り欠き形成され、係合部４２の両端部を逃がすことが可能となっている（図１参照）。
【００３６】
また、両フランジ１８，２１においては、リテーナ３５が本係止位置にある状態で、係合部４２の両端と対応する位置にも切り欠きが設けられ、これは係合部４２の両端と嵌合可能な係合受け部２０，２３となっている。図１０に示すように、係合部４２が係合受け部２０，２３に嵌合されると、係合部４２の上面と係合受け部２０，２３の上側内面とが回動方向に直交するように係止し合うことでリテーナ３５が本係止位置から仮係止位置へ戻される動作を規制できる。
【００３７】
また、リテーナ３５が本係止位置に保持された状態において、検知爪３７の先端と対応するパイプ収容部１３の外周面には、凹部３３が設けられ、検知爪３７の先端を入り込ませることで、仮係止位置から本係止位置へと回動される際に拡径状態となったリテーナ３５を自然状態に戻すことを可能にしている。
【００３８】
次に、リテーナ３５によるパイプ８の抜け止め構造を説明する。図５，６のように、リテーナ３５の後縁には、抜け止め部４３が周方向に沿って、且つ内方へ向けて設けられている。抜け止め部４３には、リテーナ３５を本係止位置に装着した時に、パイプ８の外周面に沿って当接できるように、その張り出し長さが設定されている。この抜け止め部４３は、パイプ８が正規深さまで挿入された際のバルジ部９の後面と後側フランジ２１の前面までの間に嵌められるようになっている。つまり、図１０，１２，１４に示すように、抜け止め部４３は前記した第１及び第２開口部２４，２７から挿入孔１４内に入りこみ、リテーナ３５が本係止位置に保持された状態で、抜け止め部４３の前面がバルジ部９の後面を押さえることでパイプ８を抜け止めしている。また、リテーナ３５が仮係止位置にある状態では（図８）、抜け止め部４３は両開口部２４，２７には入り込んでいるものの、挿入孔１４内には進入しておらず、パイプ８の挿抜を阻害しないようになっている。
【００３９】
また、抜け止め部４３には、リテーナ３５が本係止位置に装着された際に前記した補強部３２と対応する部分に切除部４５が設けられ、補強部３２に対する逃がしになっている。
【００４０】
次に、上記のように構成された実施形態の作用効果を説明する。このコネクタは、リテーナ３５を仮係止位置に組み付けた状態でパイプ８挿入現場に搬送されるようになっている。
【００４１】
まず、リテーナ３５を仮係止位置に保持するには、検知爪３７の先端とパイプ収容部１３の外周面とを摺動させつつ、リテーナ３５を図７に示す取り付け初期位置から右回りに回動させると、リテーナ３５が若干拡開変形しながら仮係止位置へと移動する。そして、図８及び図１１のように、検知爪３７が検知孔２８に入り込むと、リテーナ３５が自然状態に戻ると共に、規制面３９と受け面３１とがリテーナ３５の回動方向に直交するように係止し合うため、リテーナ３５の仮係止位置から本係止位置へ向けた回動が規制される。よって、パイプ８挿入前に、リテーナ３５が不用意に本係止位置へ移動してしまうことが防止される。
【００４２】
リテーナ３５が仮係止位置に保持された状態で、パイプ８を挿入孔１４に挿入していくと、バルジ部９が、挿入孔１４内のバルジ部９の挿入経路上に進入している検知爪３７の押し出し面３８と当接する。ここからさらにパイプ８を正規深さまで押し入れていくと、図９のように、バルジ部９が押し出し面３８と摺接することで検知爪３７の径方向外方へ開く動作が案内され、規制面３９と受け面３１との当接状態が解除される。よって、この時点で、リテーナ３５は仮係止位置から本係止位置への回動が可能となる。
【００４３】
しかしもし、パイプ８が正規深さまで挿入されていないような場合には、バルジ部９が検知爪３７を挿入孔１４内から押し出しておらず、規制面３９と受け面３１とが当接し合ったままの状態であるため、リテーナ３５を仮係止位置から本係止位置へと回動させることができない。したがって、パイプ８を正規深さまで挿入した時点で初めてリテーナ３５の仮係止を解除可能としたため、パイプ８の半挿入検知が確実となる。
【００４４】
リテーナ３５の仮係止を解除後、リテーナ３５を本係止方向へ回動させると、リテーナ３５が拡径しつつ検知爪３７の傾斜面４１が検知孔２８の曲面３０にガイドされながら、検知孔２８からパイプ収容部１３の外周面へと円滑に抜け出る。さらに回動させると、検知爪３７の先端がパイプ収容部１３の外周面と摺動しつつ本係止位置へと移動し、図１０と図１２ないし図１５のように、検知爪３７が凹部３３に入り込み、且つ係合部４２が係合受け部２０，２３に嵌合されると、リテーナ３５が本係止位置に保持されると共に、リテーナ３５が自然状態に復帰する。この本係止位置では、抜け止め部４３が第１及び第２開口部２４，２７から挿入孔１４内に入り込んで、バルジ部９の後面と係止するため、パイプ８が抜け止めされる。なお、リテーナ３５が本係止位置にあるときに、係合部４２を操作して、リテーナ３５を仮係止位置の方向へ回動し、仮係止位置にリテーナ３５を復帰させれば、パイプ８の抜き取りが可能となる。
【００４５】
したがって、以上の構成によれば、正規挿入された状態のパイプ８により、リテーナ３５の仮係止状態を解除するようにしたため、パイプ８が未挿入状態時にリテーナ３５が不用意に本係止位置へと移動することを回避することができる。換言すれば、パイプ８を正規深さまで挿入しない限り、リテーナ３５を本係止位置へ回動させることができないため、このことにより、パイプ８の半挿入検知を確実に行うことができる。また、検知爪３７に押し出し面３８を設けたことで、パイプ８の挿入操作を行うだけで自動的にリテーナ３５の仮係止を解除することができ、作業性に優れる。
【００４６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４７】
（１）上記した実施形態では、リテーナ３５の本係止位置での係止を係合部４２と係合受け部２０，２３により行ったが、本係止位置において、検知爪と係止可能な係止構造をパイプ収容部に設けることで、検知爪により兼用させても良い。
【図面の簡単な説明】
【図１】本発明の実施形態におけるコネクタとパイプの斜視図
【図２】コネクタ本体の一方側の側面図
【図３】コネクタ本体の他方側の側面図
【図４】コネクタ本体の上面図
【図５】リテーナの背面図
【図６】リテーナの正面図
【図７】リテーナを取り付け所期位置に取り付けた状態の横断面図
【図８】リテーナを仮係止位置に保持した状態の横断面図
【図９】リテーナの仮係止状態が解除された様子を示す横断面図
【図１０】リテーナを本係止位置に保持した状態の横断面図
【図１１】リテーナを仮係止位置に保持した状態の縦断面図
【図１２】リテーナを本係止位置に保持した状態の背面図
【図１３】図１２のＡ−Ａ断面図
【図１４】図１２のＢ−Ｂ断面図
【図１５】リテーナを本係止位置に保持した状態の一方側の側面図
【図１６】従来例におけるコネクタ本体とパイプの斜視図
【図１７】リテーナが仮係止位置にある状態を示す断面図
【符号の説明】
８…パイプ
９…バルジ部
１０…コネクタ本体
１４…挿入孔
２５…回動軸
２８…検知孔
３１…受け面
３５…リテーナ
３７…検知爪
３８…押し出し面
３９…規制面
【図１】
2004125130.tif 000003
【図２】
2004125130.tif 000004
【図３】
2004125130.tif 000005
【図４】
2004125130.tif 000006
【図５】
2004125130.tif 000007
【図６】
2004125130.tif 000008
【図７】
2004125130.tif 000009
【図８】
2004125130.tif 000010
【図９】
2004125130.tif 000011
【図１０】
2004125130.tif 000012
【図１１】
2004125130.tif 000013
【図１２】
2004125130.tif 000014
【図１３】
2004125130.tif 000015
【図１４】
2004125130.tif 000016
【図１５】
2004125130.tif 000017
【図１６】
2004125130.tif 000018
【図１７】
2004125130.tif 000019